(57)【要約】【課題】ガイド側ストッパーがハンドルに向けて突出する長さを短くしても耐久性を向上させることができ、ハンドル側ストッパーとガイド側ストッパーとが配置される領域の外周を覆うカバーの厚みを薄くすることができる操作装置を提供する。【解決手段】本発明の操作装置は、ハンドル側ストッパーを備えるハンドル２８と、回転伝達部３２と、回転伝達部を回転可能に支持する円筒部４４と、ハンドルのハンドル側ストッパーと当接することでハンドルの回転範囲を制限させるガイド側ストッパー４６を備える回転伝達部ガイド３４と、ハンドルのハンドル側ストッパーと回転伝達部ガイドのガイド側ストッパーとが配置される領域の外周を覆うカバー３６とを有し、回転伝達部ガイドのガイド側ストッパー４６は、円筒部４４の洗浄水タンクの外側に配置される円筒部分４８の外径よりも大きな外径の部分を有するように形成される。【選択図】図７
2019108762.tif 000002
【特許請求の範囲】
【請求項１】
ハンドルの回転により洗浄水タンク内に配置された排水弁を作動させる操作装置であって、
洗浄水タンクの外側において回転可能に配置される上記ハンドルであって、上記ハンドルの基部から洗浄水タンクに向けて突出するハンドル側ストッパーを備える上記ハンドルと、
上記ハンドルに接続されると共に上記洗浄水タンクの壁面を貫通して配置され、上記ハンドルの回転を上記洗浄水タンク内まで伝達する回転伝達部と、
上記回転伝達部を回転可能に支持する回転伝達部ガイドであって、
内側で上記回転伝達部を回転可能に支持する円筒部と、
上記円筒部の上記洗浄水タンクの外側に配置される円筒部分から上記ハンドルに向けて突出するように形成され、且つ上記ハンドルの上記ハンドル側ストッパーと当接することで上記ハンドルの回転範囲を制限させるガイド側ストッパーと、を備える上記回転伝達部ガイドと、
上記洗浄水タンクの上記壁面の外側に配置され、且つ上記ハンドルの上記ハンドル側ストッパーと上記回転伝達部ガイドの上記ガイド側ストッパーとが配置される領域の外周を覆うカバーと、を有し、
上記回転伝達部ガイドの上記ガイド側ストッパーは、上記円筒部の上記洗浄水タンクの外側に配置される円筒部分の外径よりも大きな外径の部分を有するように形成されることを特徴とする操作装置。
【請求項２】
上記ハンドルは金属製であり、上記回転伝達部ガイドは樹脂製である請求項１に記載の操作装置。
【請求項３】
上記回転伝達部ガイドの上記ガイド側ストッパーの半径方向の幅は、上記円筒部の上記円筒部分の半径方向の幅よりも大きい請求項１又は２に記載の操作装置。
【請求項４】
上記回転伝達部ガイドの上記ガイド側ストッパーは、中抜き空間を形成している請求項２に記載の操作装置。
【請求項５】
上記回転伝達部ガイドの上記ガイド側ストッパーは、上記円筒部の上記円筒部分の外径よりも外側まで広がるような扇形状に形成されている請求項１乃至４の何れか１項に記載の操作装置。
【請求項６】
上記回転伝達部ガイドの上記ガイド側ストッパーは、上記円筒部の上記円筒部分の外径よりも外側において上記ハンドル側ストッパーの少なくとも一部と当接する当接領域を有する請求項１乃至５の何れか１項に記載の操作装置。
【請求項７】
上記回転伝達部ガイドの上記ガイド側ストッパーは、上記円筒部の上記円筒部分の半径方向外側まで形成され且つ上記円筒部分の半径方向の外面と接続されている延伸部を備えている請求項１乃至６の何れか１項に記載の操作装置。
【請求項８】
上記請求項１乃至７の何れか１項に記載の操作装置を備えた洗浄水タンク装置。
【請求項９】
上記請求項８に記載の洗浄水タンク装置を備えた水洗大便器。
【発明の詳細な説明】
【技術分野】
【０００１】
本発明は、操作装置に係り、特に、ハンドルの回転により洗浄水タンク内に配置された排水弁を作動させる操作装置に関する。
【背景技術】
【０００２】
特許文献１に示すように、水洗大便器の操作装置であって、洗浄水タンクの外側において回転可能に配置されるハンドルであって、ハンドルの基部から洗浄水タンクに向けて突出するストッパーを備えるハンドルと、ハンドルのストッパーと当接することでハンドルの回転範囲を制限させるストッパーを備える回転軸部ガイドと、洗浄水タンクの壁面の外側に配置され、且つハンドルのストッパーと回転軸部ガイドのストッパーとが配置される領域の外周を覆うカバーと、を備えた操作装置が知られている。
【０００３】
このような水洗大便器の操作装置のカバーは、デザイン性をより向上させるために薄型化が要求されている。
【先行技術文献】
【特許文献】
【０００４】
【特許文献１】特開２０１７−１６６１６３号公報
【発明の概要】
【発明が解決しようとする課題】
【０００５】
しかしながら、操作装置のカバーを薄型化するために、回転軸部ガイドのストッパーがハンドルに向けて突出する長さを短くする場合、回転軸部ガイドのストッパーの耐久性が低下するという問題が生じる。さらに、ハンドルのストッパーが回転軸部ガイドのストッパーのより根元に接触することになるため、回転軸部ガイドのストッパーの耐久性がさらに低下するという問題が生じる。また、特に、ハンドルのストッパーが金属で構成され、回転軸部ガイドのストッパーが樹脂で構成されている場合には、回転軸部ガイドのストッパーの耐久性が低下する問題がより顕著となる。
【０００６】
そこで、本発明は、上述した従来技術の問題点を解決するためになされたものであり、ガイド側ストッパーがハンドルに向けて突出する長さを短くしても耐久性を向上させることができ、ハンドル側ストッパーとガイド側ストッパーとが配置される領域の外周を覆うカバーの厚みを薄くすることができる操作装置を提供することを目的としている。
【課題を解決するための手段】
【０００７】
上記の目的を達成するために、本発明は、ハンドルの回転により洗浄水タンク内に配置された排水弁を作動させる操作装置であって、洗浄水タンクの外側において回転可能に配置される上記ハンドルであって、上記ハンドルの基部から洗浄水タンクに向けて突出するハンドル側ストッパーを備える上記ハンドルと、上記ハンドルに接続されると共に上記洗浄水タンクの壁面を貫通して配置され、上記ハンドルの回転を上記洗浄水タンク内まで伝達する回転伝達部と、上記回転伝達部を回転可能に支持する回転伝達部ガイドであって、内側で上記回転伝達部を回転可能に支持する円筒部と、上記円筒部の上記洗浄水タンクの外側に配置される円筒部分から上記ハンドルに向けて突出するように形成され、且つ上記ハンドルの上記ハンドル側ストッパーと当接することで上記ハンドルの回転範囲を制限させるガイド側ストッパーと、を備える上記回転伝達部ガイドと、上記洗浄水タンクの上記壁面の外側に配置され、且つ上記ハンドルの上記ハンドル側ストッパーと上記回転伝達部ガイドの上記ガイド側ストッパーとが配置される領域の外周を覆うカバーと、を有し、上記回転伝達部ガイドの上記ガイド側ストッパーは、上記円筒部の上記洗浄水タンクの外側に配置される円筒部分の外径よりも大きな外径の部分を有するように形成されることを特徴としている。
このように構成された本発明においては、洗浄水タンクの壁面の外側に配置され、且つハンドルのハンドル側ストッパーと回転伝達部ガイドのガイド側ストッパーとが配置される領域の外周を覆うカバーが設けられ、回転伝達部ガイドのガイド側ストッパーは、円筒部の洗浄水タンクの外側に配置される円筒部分の外径よりも大きな外径の部分を有するように形成されている。これにより、ハンドルのハンドル側ストッパーと回転伝達部ガイドのガイド側ストッパーとが当接するときに、ガイド側ストッパーにかかる応力を分散させて低減させることができる。よって、本発明によれば、ガイド側ストッパーがハンドルに向けて突出する長さを短くしても耐久性を向上させることができ、ハンドル側ストッパーとガイド側ストッパーとが配置される領域の外周を覆うカバーの厚みを薄くすることができる。従って、洗浄水タンクの壁面の外側に配置されるカバーのデザイン性をより向上させることができる。
【０００８】
本発明において、好ましくは、上記ハンドルは金属製であり、上記回転伝達部ガイドは樹脂製である。
このように構成された本発明においては、ハンドルが金属製であり、回転伝達部ガイドが樹脂製である場合に、ガイド側ストッパーにかかる応力を分散させて低減させることができる。よって、ガイド側ストッパーを樹脂製とする場合であっても、ガイド側ストッパーが金属製のハンドルに向けて突出する長さを短くすると共に耐久性を向上させることができ、ハンドル側ストッパーとガイド側ストッパーとが配置される領域の外周を覆うカバーの厚みを薄くすることができる。従って、洗浄水タンクの壁面の外側に配置されるカバーのデザイン性をより向上させることができる。
【０００９】
本発明において、好ましくは、上記回転伝達部ガイドの上記ガイド側ストッパーの半径方向の幅は、上記円筒部の上記円筒部分の半径方向の幅よりも大きい。
このように構成された本発明においては、ガイド側ストッパーの半径方向の幅は、円筒部の円筒部分の半径方向の幅よりも大きいので、ガイド側ストッパーにかかる応力をより分散させて低減させることができると共に、ガイド側ストッパーの耐久性をより向上させることができる。
【００１０】
本発明において、好ましくは、上記回転伝達部ガイドの上記ガイド側ストッパーは、中抜き空間を形成している。
このように構成された本発明においては、回転伝達部ガイドのガイド側ストッパーを樹脂製とする場合に、成形体のガイド側ストッパーの内部に空洞が発生することを抑制し、ガイド側ストッパーの強度が低下することを抑制することができる。よって、より強固で信頼性の高いガイド側ストッパーを提供することができる。
【００１１】
本発明において、好ましくは、上記回転伝達部ガイドの上記ガイド側ストッパーは、上記円筒部の上記円筒部分の外径よりも外側まで広がるような扇形状に形成されている。
このように構成された本発明においては、ガイド側ストッパーが円筒部の円筒部分の一部の円弧形状から外側に広がるような扇形状に形成されている。これにより、ガイド側ストッパーと円筒部の円筒部分との間における応力集中をしにくくし、ガイド側ストッパーにかかる応力を分散させて低減させることができる。
また、ガイド側ストッパーは、円筒部の円筒部分の外径よりも外側の領域においても円周方向に対称な扇形状に形成されている。これにより、ハンドルの一方の回転方向の制限と、他方の回転方向の制限との両方の制限の機能を果たすことができる。また、ガイド側ストッパーの外径を大きくしていない場合と同様のハンドルの回転範囲を確保することができる。
さらに、例えばハンドルを左側用ハンドルから右側用ハンドルに変更した場合等、ハンドルの回転方向が逆となる場合においても、扇形状のガイド側ストッパーに右側用ハンドルのハンドル側ストッパーを当接させることによりハンドルの回転を同様の回転範囲に制限することができる。
【００１２】
本発明において、好ましくは、上記回転伝達部ガイドの上記ガイド側ストッパーは、上記円筒部の上記円筒部分の外径よりも外側において上記ハンドル側ストッパーの少なくとも一部と当接する当接領域を有する。
このように構成された本発明においては、ガイド側ストッパーは、円筒部の円筒部分の外径よりも外側においてハンドル側ストッパーの少なくとも一部と当接する当接領域を有するので、ガイド側ストッパーにかかる応力をより低減させることができる。
【００１３】
本発明において、好ましくは、上記回転伝達部ガイドの上記ガイド側ストッパーは、上記円筒部の上記円筒部分の半径方向外側まで形成され且つ上記円筒部分の半径方向の外面と接続されている延伸部を備えている。
このように構成された本発明においては、延伸部により、ガイド側ストッパーと円筒部の円筒部分とが接続されている領域を増加させることができ、ガイド側ストッパーにかかる応力をより分散させてより低減させることができる。さらに、ガイド側ストッパーの強度を高めることができ、ガイド側ストッパーの耐久性をより向上させることができる。
【００１４】
つぎに、本発明は、上記操作装置を備えた洗浄水タンク装置である。
このように構成された本発明においては、カバーの厚みを薄くすることができる操作装置を備えた洗浄水タンク装置を提供することができる。
【００１５】
つぎに、本発明は、上記洗浄水タンク装置を備えた水洗大便器である。
このように構成された本発明においては、カバーの厚みを薄くすることができる操作装置を備えた水洗大便器を提供することができる。
【発明の効果】
【００１６】
本発明の操作装置によれば、ガイド側ストッパーがハンドルに向けて突出する長さを短くしても耐久性を向上させることができ、ハンドル側ストッパーとガイド側ストッパーとが配置される領域の外周を覆うカバーの厚みを薄くすることができる。
【図面の簡単な説明】
【００１７】
【図１】本発明の一実施形態による操作装置を備えた洗浄水タンク装置が適用された水洗大便器において、便座及び便蓋を取り外した状態を示す斜視図である。
【図２】本発明の一実施形態による操作装置を備えた洗浄水タンク装置の内部構造を示す正面断面図である。
【図３】本発明の一実施形態による操作装置の分解斜視図である。
【図４】本発明の一実施形態による操作装置を側面から示す側面図である。
【図５】本発明の一実施形態による操作装置が洗浄水タンクの壁面に取付けられている状態において操作装置の内部構造を示す中央断面図である。
【図６】本発明の一実施形態による操作装置のハンドルの第１突起部及び第２突起部を示す斜視図である。
【図７】本発明の一実施形態による操作装置の回転伝達部ガイドのガイド側ストッパーを示す斜視図である。
【図８】ハンドルが初期位置にある場合における図４のＶＩＩＩ−ＶＩＩＩ線に沿った断面図である。
【図９】ハンドルが回転終了位置にある場合における図４のＩＸ−ＩＸ線に沿った断面図である。
【発明を実施するための形態】
【００１８】
つぎに、添付図面により、本発明の一実施形態による洗浄水タンク装置の操作装置、この操作装置を備えた洗浄水タンク装置、及び、この洗浄水タンク装置を備えた水洗大便器について説明する。
まず、図１により、本発明の一実施形態による操作装置を備えた洗浄水タンク装置が適用された水洗大便器について説明する。
図１は、本発明の一実施形態による操作装置を備えた洗浄水タンク装置が適用された水洗大便器において、便座及び便蓋を取り外した状態を示す斜視図である。以下、本発明の実施形態における説明において、水洗大便器を使用する使用者側（水洗大便器を使用するために水洗大便器の前に立っている使用者側）から見て手前側を前方側とし、使用者から見て奥側を後方側とし、水洗大便器を前方から見て右側を右側とし、前方から見て左側を左側として説明している。
【００１９】
図１に示すように、符号１は、サイホン作用を利用してボウル部内の汚物を吸い込んで排水トラップ管路から一気に外部に排出する、いわゆる、サイホン式の水洗大便器であり、この水洗大便器１は、陶器製の便器本体２を備え、この便器本体２には、ボウル部４と、このボウル部４の下部と連通する排水トラップ管路６がそれぞれ形成されている。
便器本体２のボウル部４の上縁部には、内側にオーバーハングしたリム８と、便器本体２の後方側の内部に形成される導水路９から供給される洗浄水を吐水する第１吐水口１０が形成され、この第１吐水口１０から吐水された洗浄水は、旋回しながら下降してボウル部４を洗浄するようになっている。
【００２０】
ボウル部４の下方には、溜水面が鎖線Ｗ０で示された溜水部１２が形成されている。この溜水部１２の下方には、排水トラップ管路６の入口６ａが開口し、この入口６ａから後方の排水トラップ管路６は排水ソケット（図示せず）を介して床下の排出管（図示せず）に接続されている。
また、ボウル部４の溜水面Ｗ０の上方位置には、便器本体２の後方側の内部に形成される導水路９から供給される洗浄水を吐水する第２吐水口１４が形成され、この第２吐水口１４から吐水される洗浄水が溜水部１２の溜水を上下方向に旋回させる旋回流を生じさせるようになっている。
【００２１】
便器本体２の後方側の上面には、便器本体２に供給する洗浄水を貯水する洗浄水タンク装置１６が設けられている。
なお、本実施形態では、上述したサイホン式の水洗大便器に洗浄水タンク装置１６を適用した例について説明するが、このようなサイホン式の水洗大便器に限定されず、ボウル部内の水の落差による流水作用で汚物を押し流す、いわゆる、洗い落し式の水洗大便器等の他のタイプの水洗便器にも適用可能である。
【００２２】
つぎに、図２により、洗浄水タンク装置１６について説明する。
図２は、本発明の一実施形態による操作装置を備えた洗浄水タンク装置の内部構造を示す正面断面図である。なお、図２においては、洗浄水タンク１８の満水水位及び死水水位をＷＬ及びＤＷＬで示している。
洗浄水タンク装置１６は、水洗大便器１を洗浄する洗浄水を貯水する洗浄水タンク１８を備え、この洗浄水タンク１８の底部には、便器本体２の導水路９と連通する排水口２０が形成され、洗浄水タンク１８内の洗浄水が便器本体２の導水路９へと供給されるようになっている。
【００２３】
洗浄水タンク装置１６は、給水源からの洗浄水を洗浄水タンク１８内に供給する洗浄水供給装置である洗浄水供給装置２２と、洗浄水タンク１８に貯えられた洗浄水について排水口２０を開放して便器本体２の導水路９に流出させる排水弁装置２４と、洗浄水タンク１８の左側の壁面である側壁１８ａの上部に取付けられる操作装置２６とを備えている。
【００２４】
排水弁装置２４は、洗浄水タンク１８内に配置されている。排水弁装置２４の構成については、従来の排水弁装置の構成と同様であるため、具体的な説明は省略するが、排水弁装置２４はいわゆる直動式の排水弁装置であり、排水弁装置２４内で後述する鎖３０が排水弁装置２４の排水弁（弁体）に接続しており、鎖３０が上下方向に移動する移動量が排水弁装置２４の排水弁の上下方向の移動量に対応するようになっている。ハンドル２８の回動操作を行うことにより、鎖３０が連動して排水弁装置２４の排水弁を引き上げ、排水弁を作動させた状態とし、水洗大便器１へ洗浄水の供給が開始され、排水口２０が所定時間開放され、洗浄水タンク１８内の洗浄水が便器本体２の導水路９に一定量排出されるようになっている。
【００２５】
つぎに、図２乃至図８を参照して、本発明の一実施形態による操作装置２６の詳細について説明する。
図３は本発明の一実施形態による操作装置の分解斜視図であり、図４は本発明の一実施形態による操作装置を側面から示す側面図であり、図５は本発明の一実施形態による操作装置が洗浄水タンクの壁面に取付けられている状態において操作装置の内部構造を示す中央断面図であり、図６は本発明の一実施形態による操作装置のハンドルの第１突起部及び第２突起部を示す斜視図であり、図７は本発明の一実施形態による操作装置の回転伝達部ガイドのガイド側ストッパーを示す斜視図であり、図８はハンドルが初期位置にある場合における図４のＶＩＩＩ−ＶＩＩＩ線に沿った断面図である。
【００２６】
操作装置２６は、洗浄水タンク１８の外側において回転可能に配置されるハンドル２８と、使用者がハンドル２８の回転操作を行った場合に、ハンドル２８を待機状態の位置に戻すように力を作用させるばね（図示せず）と、ハンドル２８の回転を洗浄水タンク１８内まで伝達する回転伝達部であるアーム部材３２と、アーム部材３２と排水弁装置２４とを連結し、且つ自身の移動により排水弁装置２４の排水弁（図示せず）を開閉させる鎖３０と、アーム部材３２を回転可能に支持する回転伝達部ガイド３４と、ハンドル２８の取付基部を覆うように形成され且つハンドル２８と洗浄水タンク１８の側壁１８ａとの間に配置されるカバー３６と、回転伝達部ガイド３４を洗浄水タンク１８に対して固定するナット３８と、を備えている。
【００２７】
操作装置２６は、ハンドル２８を手前側に引き上げる方向に回転操作を行うことによりハンドル２８に連結されたアーム部材３２が回動して、アーム部材３２の先端に取付けられた鎖３０を引上げ、鎖３０が接続された排水弁装置２４の排水弁を物理的に引き上げる機構を形成している。
【００２８】
ハンドル２８は、ハンドル２８の中央部においてアーム部材３２と連結されている。ハンドル２８は、洗浄水タンク１８の左側の側壁１８ａに取付けられる左側用のハンドルであり、使用者が手指等で回転操作するための持ち手部分２８ａが形成されている。使用者が持ち手部分２８ａを持って手前側に引き上げるように回転させることにより、ハンドル２８がアーム部材３２を回転させるようになっている。なお、ハンドル２８は、洗浄水タンク１８の右側の側壁１８ｂに取り付けられる右側ハンドルであってもよい。
【００２９】
図６に示すように、ハンドル２８は、ハンドル２８の基部から洗浄水タンク１８に向けて突出するハンドル側ストッパーである第１突起部４０と、同様にハンドル２８の基部から洗浄水タンク１８に向けて突出するハンドル側ストッパーである第２突起部４２とを備えている。ハンドル２８は、金属製であるが、樹脂製であってもよい。後述するように、ガイド側ストッパー４６が半径方向外側に拡張されているので、第１突起部４０及び第２突起部４２はつば部４８に対応する位置よりも半径方向外側に配置されることができる。
【００３０】
図２に示すように、アーム部材３２は、ハンドル２８と接続されると共に、洗浄水タンク１８の外側から内側まで、側壁１８ａに形成された四角形の開口１８ｃを貫通して延びるように配置される。アーム部材３２は、洗浄水タンク１８の左右方向に水平に配置される。アーム部材３２は棒状に形成され、途中で２段階に折れ曲がっている。アーム部材３２は、洗浄水タンク１８の外部においてハンドル２８と嵌合され、洗浄水タンク１８の内部の鉤状部３２ａにおいて鎖３０に接続される。アーム部材３２は、金属製とすることにより、耐久性が高く、頑丈に形成されることができる。
【００３１】
図５に示すように、カバー３６は、洗浄水タンク１８の側壁１８ａの外側に配置され、且つハンドル２８の第１突起部４０又は第２突起部４２と回転伝達部ガイド３４のガイド側ストッパー４６とが配置される領域の外周を覆うように形成される。カバー３６の厚みＴは、洗浄水タンク１８の左右方向に延びるカバー３６の長さに相当し、ハンドル２８が側壁１８ａの壁面から突出している距離に相当している。カバー３６の厚みＴが低減されることにより、ハンドル２８が側壁１８ａから突出している印象を使用者に与えることを抑制し、カバー３６のデザイン性、及びカバー３６及びハンドル２８のトータルのデザイン性、例えば使用者に与える美観を向上させることができる。カバー３６は、ハンドル２８の第１突起部４０又は第２突起部４２と回転伝達部ガイド３４のガイド側ストッパー４６とを覆うように形成されるので、ガイド側ストッパー４６の厚みＨ１（図７参照）を低減することにより、カバー３６の厚みＴを低減することができる。
【００３２】
図２及び図３に示すように、ナット３８は、洗浄水タンク１８の内側において回転伝達部ガイド３４の外周面に螺合され且つ洗浄水タンク１８の側壁１８ａを、後述する回転伝達部ガイド３４のつば部４８との間で挟み込むようにして回転伝達部ガイド３４を洗浄水タンク１８に対して固定する。
【００３３】
図７に示すように、回転伝達部ガイド３４は、内側でアーム部材３２を回転可能に支持する円筒部４４と、ハンドル２８が回転操作されたとき及びハンドル２８が回転操作されていないときにハンドル２８の第１突起部４０又は第２突起部４２と当接することでハンドル２８の回転範囲を制限させるガイド側ストッパー４６と、を備える。回転伝達部ガイド３４は、樹脂製である。
【００３４】
円筒部４４は、洗浄水タンク１８の外側に配置される円筒部分であるつば部４８と、側壁１８ａの開口１８ｃを貫通する貫通部５０と、つば部４８の裏面から貫通部５０に向けて斜面状に延びるリブ５１とを備えている。つば部４８は、円筒部４４とその中心軸線が共通している。つば部４８は、円筒部４４のハンドル２８側の先端部を形成している。つば部４８は、円筒部４４の貫通部５０の外径よりも大きな外径を有している。洗浄水タンク１８の外側に配置される円筒部分は、つば部４８の形状に限られず、その外径が貫通部５０とほぼ同じ外径であってもよい。リブ５１は、ナット３８が回転伝達部ガイド３４を締めるとき、つば部４８と側壁１８ａとの間でつぶされて回転伝達部ガイド３４を洗浄水タンク１８に対して正確な位置に位置決めし且つがたつきを抑えて固定させることができる。
【００３５】
ガイド側ストッパー４６は、円筒部４４のつば部４８からハンドル２８に向けて突出するように形成されている。ガイド側ストッパー４６は、つば部４８の外径Ｄ１（中心軸線Ｃからの外径）よりも大きな外径Ｄ２（中心軸線Ｃからの外径）の部分を有するように形成される。ガイド側ストッパー４６は、円筒部４４のつば部４８の外径よりも外側まで広がるような扇形状に形成されている。ガイド側ストッパー４６の半径方向の幅Ｗ１は、円筒部４４のつば部４８の半径方向の幅Ｗ２よりも大きい。ガイド側ストッパー４６のつば部４８からの厚みＨ１は、ガイド側ストッパー４６の洗浄水タンク１８の左右方向に延びる長さに相当し、従来のガイド側ストッパー４６の厚みよりも短い。ガイド側ストッパー４６のつば部４８からの厚みＨ１は、つば部４８の厚みＨ２よりも大きい。
【００３６】
ガイド側ストッパー４６は、その一方の第１側面５４の第１当接領域（図示せず）において第１突起部４０と当接する。第１側面５４と第１突起部４０とは、第１突起部４０の先端のみが当接することを防ぐように第１当接領域において平面状に当接する。また、ガイド側ストッパー４６は、他方の第２側面５６の第２当接領域５８において第２突起部４２と当接する。第２側面５６と第２突起部４２とは、第２突起部４２の先端のみが当接することを防ぐように第２当接領域５８において平面状に当接する。よって、ハンドル２８と回転伝達部ガイド３４とを近づけること等により、第１突起部４０の先端のみ又は第２突起部４２の先端のみがガイド側ストッパー４６の基部のコーナー部分４６ａに当接することにより応力がコーナー部分４６ａに集中し、ガイド側ストッパー４６を破損させる又はひびを生じさせることを抑制することができる。
【００３７】
このように、ガイド側ストッパー４６は、つば部４８の外径Ｄ１よりも外側において第１突起部４０の少なくとも一部と当接する当接領域である第１当接領域を有する。さらに、ガイド側ストッパー４６は、つば部４８の外径Ｄ１よりも外側において第２突起部４２の少なくとも一部と当接する当接領域である第２当接領域５８を有する。当接する領域をつば部４８より外側に配置することにより、ガイド側ストッパー４６にかかる応力を低下させることができる。また、第１当接領域から第２当接領域５８までのハンドル２８の回転範囲を維持した状態でガイド側ストッパー４６の強度（耐久性）を向上させることができる。
【００３８】
ガイド側ストッパー４６は、つば部４８の半径方向外側まで形成され且つつば部４８の半径方向の外面と接続されている延伸部４６ｂを備えている。さらに、ガイド側ストッパー４６は、円弧状且つ柱状の中抜き空間５２を形成している。中抜き空間５２は、半径方向に同心円状に並んで形成されている。
【００３９】
本発明の一実施形態による操作装置２６は、使用者が主に左手によって操作しやすいように洗浄水タンク１８の左側の側壁１８ａに左側用のハンドル２８が取付けられる操作装置であるが、使用者が主に右手によって操作しやすいように洗浄水タンク１８の右側の側壁１８ｂに右側用のハンドル２８が取付けられる操作装置であってもよい。このように、例えばハンドル２８を左側用のハンドルから右側用のハンドルに変更した場合等、ハンドル２８の回転方向が逆となる場合においても、扇形状のガイド側ストッパー４６の第１側面５４及び第２側面５６にハンドル２８の第１突起部４０及び第２突起部４２を当接させることによりハンドル２８の回転を同様の回転角度範囲に制限することができる。
【００４０】
つぎに、図１、図２、図８及び図９を参照して、本発明の一実施形態による操作装置の動作（作用）を説明する。
図９はハンドルが回転終了位置にある場合における図４のＶＩＩＩ−ＶＩＩＩ線に沿った断面図である。
先ず、図１、図２、図８及び図９により、本発明の一実施形態による操作装置を備えた洗浄水タンク装置及びこの洗浄水タンク装置が適用された水洗大便器において、操作装置２６により洗浄動作が実行される様子を説明する。
【００４１】
図８に示すように、使用者がハンドル２８の操作を開始する前の初期状態においては、ハンドル２８は初期位置にあり、停止しており、ハンドル２８の第１突起部４０がガイド側ストッパー４６の第１側面５４に当接している。図２に示すように、アーム部材３２の先端の鉤状部３２ａは、下向きの待機位置（初期位置）にあり、鎖３０に連結された排水弁（図示せず）が排水口２０を閉止している状態となっている。このとき洗浄水タンク１８内の初期水位が満水水位ＷＬとなっている。
【００４２】
使用者が、洗浄動作をさせるため、ハンドル２８の操作を開始する場合、矢印Ａ１で示すように、使用者がハンドル２８を手前に引き上げるように回転させることにより、アーム部材３２の鉤状部３２ａが、アーム部材３２の軸線を中心に、矢印Ａ１の方向に回転する。よって、鎖３０が鉤状部３２ａにより引き上げられ、排水弁が上昇し、排水口２０を開放させる。これにより、洗浄水タンク１８内の洗浄水が排水口２０から便器本体２の導水路９に向けて排水され、便器洗浄が行われる。
【００４３】
使用者が、ハンドル２８を手前に引き上げるように回転させることにより、第２突起部４２が矢印Ａ２で示すように回転される。図９に示すように、使用者が、ハンドル２８を所定角度分まで回転させるとき、第２突起部４２がガイド側ストッパー４６の第２側面５６に当接する。ハンドル２８は回転終了位置となる。よって、ハンドル２８の回転が停止され、ハンドル２８の回転角度を所定の範囲に制限することができる。すなわち、排水弁の引き上げ高さを所定の高さに規定することができ、1回の便器洗浄に用いられる洗浄水の最大量を所定量に規定することができる。
【００４４】
第２突起部４２は、ガイド側ストッパー４６の第２側面５６の第２当接領域５８に当接する。ガイド側ストッパー４６は、つば部４８の外径Ｄ１よりも大きな外径Ｄ２の部分を有するように形成されている。これにより、ハンドル２８の第２突起部４２とガイド側ストッパー４６とが当接するときに、ガイド側ストッパー４６にかかる応力を分散させて低減させることができる。さらに、第２突起部４２の少なくとも一部は、つば部４８の外径Ｄ１よりも外側に広がる第２当接領域５８においてガイド側ストッパー４６と当接するので、ガイド側ストッパー４６にかかる応力をより低減させることができる。
【００４５】
使用者がハンドル２８から手を放す又は使用者がハンドル２８を戻すように回転させることにより、ハンドル２８は図８に示すような初期位置に戻る。このとき、第１突起部４０は、ガイド側ストッパー４６の第１側面５４の第１当接領域に当接する。このときも、第１突起部４０が、ガイド側ストッパー４６と第２突起部４２との作用と同様に、第１突起部４０とガイド側ストッパー４６とが当接するときに、ガイド側ストッパー４６にかかる応力が分散されて低減される。
【００４６】
なお、本実施形態においては、操作装置２６は、ハンドル２８の回転を洗浄水タンク１８内まで伝達する回転伝達部であるアーム部材３２と、アーム部材３２と排水弁装置２４とを連結し、且つ自身の移動により排水弁装置２４の排水弁（図示せず）を開閉させる鎖３０と、を備えているアーム式の操作装置を構成しているが、他の実施形態においては、操作装置２６は、ハンドル２８の回転を洗浄水タンク１８内まで伝達する回転伝達部と、この回転伝達部と排水弁装置２４とを連結し、且つ自身の移動により排水弁装置２４の排水弁（図示せず）を開閉させるワイヤと、を備えたワイヤ式の操作装置により構成されていてもよい。例えば、回転伝達部は回転を伝達するギヤやワイヤを引き上げるプーリ等により構成される。
【００４７】
上述のように、本発明の一実施形態による操作装置２６によれば、洗浄水タンク１８の側壁１８ａの外側に配置され、且つハンドル２８の第１突起部４０と回転伝達部ガイド３４のガイド側ストッパー４６とが配置される領域の外周を覆うカバー３６が設けられ、回転伝達部ガイド３４のガイド側ストッパー４６は、円筒部４４の洗浄水タンク１８の外側に配置される円筒部分であるつば部４８の外径よりも大きな外径の部分を有するように形成されている。これにより、ハンドル２８の第１突起部４０と回転伝達部ガイド３４のガイド側ストッパー４６とが当接するときに、ガイド側ストッパー４６にかかる応力を分散させて低減させることができる。よって、本実施形態の構成によれば、ガイド側ストッパー４６がハンドル２８に向けて突出する長さを短くしても耐久性を向上させることができ、第１突起部４０とガイド側ストッパー４６とが配置される領域の外周を覆うカバー３６の厚みを薄くすることができる。従って、洗浄水タンク１８の側壁１８ａの外側に配置されるカバー３６のデザイン性をより向上させることができる。
【００４８】
また、本発明の一実施形態による操作装置２６によれば、ハンドル２８が金属製であり、回転伝達部ガイド３４が樹脂製である場合に、ガイド側ストッパー４６にかかる応力を分散させて低減させることができる。よって、ガイド側ストッパー４６を樹脂製とする場合であっても、ガイド側ストッパー４６が金属製のハンドル２８に向けて突出する長さを短くすると共に耐久性を向上させることができ、第１突起部４０とガイド側ストッパー４６とが配置される領域の外周を覆うカバー３６の厚みを薄くすることができる。従って、洗浄水タンク１８の壁面の外側に配置されるカバー３６のデザイン性をより向上させることができる。
【００４９】
また、本発明の一実施形態による操作装置２６によれば、ガイド側ストッパー４６の半径方向の幅Ｗ１は、円筒部４４のつば部４８の半径方向の幅Ｗ２よりも大きいので、ガイド側ストッパー４６にかかる応力をより分散させて低減させることができると共に、ガイド側ストッパー４６の耐久性をより向上させることができる。
【００５０】
また、本発明の一実施形態による操作装置２６によれば、回転伝達部ガイド３４のガイド側ストッパー４６を樹脂製とする場合に、成形体のガイド側ストッパー４６の内部に空洞が発生することを抑制し、ガイド側ストッパー４６の強度が低下することを抑制することができる。よって、より強固で信頼性の高いガイド側ストッパー４６を提供することができる。
【００５１】
また、本発明の一実施形態による操作装置２６によれば、ガイド側ストッパー４６が円筒部４４のつば部４８の一部の円弧形状から外側に広がるような扇形状に形成されている。これにより、ガイド側ストッパー４６と円筒部４４のつば部４８との間における応力集中をしにくくし、ガイド側ストッパー４６にかかる応力を分散させて低減させることができる。
また、ガイド側ストッパー４６は、円筒部４４のつば部４８の外径よりも外側の領域においても円周方向に対称な扇形状に形成されている。これにより、ハンドル２８の一方の回転方向の制限と、他方の回転方向の制限との両方の制限の機能を果たすことができる。また、ガイド側ストッパー４６の外径を大きくしていない場合と同様のハンドル２８の回転範囲を確保することができる。
さらに、例えばハンドル２８を左側用ハンドルから右側用ハンドルに変更した場合等、ハンドル２８の回転方向が逆となる場合においても、扇形状のガイド側ストッパー４６に右側用ハンドルの第１突起部４０を当接させることによりハンドル２８の回転を同様の回転範囲に制限することができる。
【００５２】
また、本発明の一実施形態による操作装置２６によれば、ガイド側ストッパー４６は、円筒部４４のつば部４８の外径よりも外側において第１突起部４０の少なくとも一部と当接する第１当接領域及び／又は第２突起部４２の少なくとも一部と当接する第２当接領域５８を有するので、ガイド側ストッパー４６にかかる応力をより低減させることができる。
【００５３】
また、本発明の一実施形態による操作装置２６によれば、延伸部４６ｂにより、ガイド側ストッパー４６と円筒部４４のつば部４８とが接続されている領域を増加させることができ、ガイド側ストッパー４６にかかる応力をより分散させてより低減させることができる。さらに、ガイド側ストッパー４６の強度を高めることができ、ガイド側ストッパー４６の耐久性をより向上させることができる。
【００５４】
つぎに、本発明は、上記操作装置２６を備えたことと特徴とする洗浄水タンク装置１６である。
このように構成された本発明においては、上記操作装置２６を備えた洗浄水タンク装置１６を提供することができる。
【００５５】
つぎに、本発明は、上記洗浄水タンク装置１６を備えたことを特徴とする水洗大便器１である。
このように構成された本発明においては、上記操作装置２６を備えた洗浄水タンク装置１６を備えている水洗大便器１を提供することができる。
【符号の説明】
【００５６】
１        水洗大便器
２        便器本体
４        ボウル部
６        排水トラップ管路
６ａ      入口
８        リム
９        導水路
１０      第１吐水口
１２      溜水部
１４      第２吐水口
１６      洗浄水タンク装置
１８      洗浄水タンク
１８ａ    側壁
１８ｂ    側壁
１８ｃ    開口
２０      排水口
２２      洗浄水供給装置
２４      排水弁装置
２６      操作装置
２８      ハンドル
２８ａ    持ち手部分
３０      鎖
３２      アーム部材
３２ａ    鉤状部
３４      回転伝達部ガイド
３６      カバー
３８      ナット
４０      第１突起部
４２      第２突起部
４４      円筒部
４６      ガイド側ストッパー
４６ａ    コーナー部分
４６ｂ    延伸部
４８      つば部
５０      貫通部
５２      中抜き空間
５４      第１側面
５６      第２側面
５８      第２当接領域
Ａ１      矢印
Ａ２      矢印
Ｃ        中心軸線
Ｄ１      外径
Ｄ２      外径
Ｗ０      溜水面
Ｗ１      幅
Ｗ２      幅
【図１】
2019108762.tif 000003
【図２】
2019108762.tif 000004
【図３】
2019108762.tif 000005
【図４】
2019108762.tif 000006
【図５】
2019108762.tif 000007
【図６】
2019108762.tif 000008
【図７】
2019108762.tif 000009
【図８】
2019108762.tif 000010
【図９】
2019108762.tif 000011